(57)【要約】【目的】振動特性を良好にして品質を安定にした表面実装振動子を提供する。【構成】励振電極から一対の引出電極が延出した水晶片の外周部を実装基板上に形成された一対の水晶端子上に導電材によって固着してなる水晶振動子において、前記水晶片は一主面の端部に傾斜面を有するともに他主面を平坦面とし、前記引出電極の延出した平坦面である前記他主面の外周部を前記水晶端子上に固着した構成とする。前記導電材は導電性接着剤とする。また、前記一対の引出電極の延出した外周部は前記水晶片の一端部両側とし、前記傾斜面は前記水晶片の両端部又は一端部とする。【選択図】図１
2004180274.tif 000002
【特許請求の範囲】
【請求項１】
励振電極から一対の引出電極が延出した水晶片の外周部を実装基板上に形成された一対の水晶端子上に導電材によって固着してなる水晶振動子において、前記水晶片は一主面の端部に傾斜面を有するともに他主面を平坦面とし、前記引出電極の延出した平坦面である前記他主面の外周部を前記水晶端子上に固着したことを特徴とする水晶振動子。
【請求項２】
前記導電材は導電性接着剤である請求項１の水晶振動子。
【請求項３】
前記一対の引出電極の延出した外周部は前記水晶片の一端部両側である請求項１の水晶振動子。
【請求項４】
前記傾斜面は前記水晶片の両端部である請求項１の水晶振動子。
【請求項５】
前記傾斜面は前記水晶片の一端部である請求項１の水晶振動子。
【請求項６】
前記傾斜面は両端部で非対称とし、前記引出電極は傾斜面の大きい一端部に延出した請求項１の水晶振動子。
【発明の詳細な説明】
【技術分野】
【０００１】
本発明は水晶振動子を産業上の技術分野とし、特に振動特性に優れて品質を一定にした表面実装用の水晶振動子（以下、表面実装振動子とする）に関する。
【背景技術】
【０００２】
（発明の背景）表面実装振動子は小型・軽量であることから、特に携帯型の電子機器に周波数及び時間の基準源として広く採用されている。近年では、ますますの小型化が進行し、振動特性の維持が求められている。
【０００３】
（従来技術の一例）第５図は一従来例を説明する表面実装振動子の図で、同図（ａ）は断面図、同図（ｂ）はカバーを除く平面図、同図（ｃ）は水晶片の平面図である。
【０００４】
表面実装振動子は、例えば凹状とした積層セラミックからなる容器本体としての実装基板１に水晶片２を収容し、カバー３を被せて密閉封入してなる。実装基板１の一端部両側の内底面上には一対の水晶端子４を有し、外表面の外部端子５と図示しない導電路によって積層面を経て電気的に接続する。
【０００５】
水晶片２は平面を矩形状として、両主面の両端部に直線状や曲面状の傾斜面とした所謂ベベルやコンベックス面を有する。そして、両主面の平坦部に励振電極６を有し、一端部両側に引出電極７を延出する。引出電極７はここでは他主面側に折り返して形成される。そして、引出電極７の延出した一端部両側が導電材例えば導電性接着剤８によって一対の水晶端子４上に固着され、電気的・機械的に接続される。
【０００６】
通常では、第６図に示したように水晶端子４上に導電性接着剤８を塗布し、水晶片２の傾斜面の形成された一端部両側を位置決めして、矢印で示すように押圧しながら加熱する。そして、導電性接着剤８の加熱硬化によって水晶片２を固着する。このようなものでは、両端部の傾斜面によって振動エネルギーが中央部の平坦部に閉じ込められて、クリスタルインピーダンス（ＣＩ）等の振動特性を良好にする。
【発明の開示】
【発明が解決しようとする課題】
【０００７】
（従来技術の問題点）しかしながら、上記構成の表面実装振動子では、水晶片２の傾斜面が導電性接着剤８によって固着されることに起因して、次の問題があった。すなわち、水晶片２の傾斜面とした一端部両側を押圧して加熱するので、位置決め精度等に起因して導電性接着剤８に対する押圧力や押圧方向が各水晶片２毎に異なる。
【０００８】
したがって、各水晶片２に対する保持状態（保持系）も異なり、保持によるバラツキを生じて振動特性を不均一にする。そして、傾斜面から導電性接着剤８が振動領域である平坦面に回り込み（流入し）、水晶振動子の振動特性を悪化させる問題があった。特に、小型化が進行するほど、保持の影響が大きくなってこの問題は顕著になる。
【０００９】
（発明の目的）本発明は振動特性を良好にして品質を安定にした水晶振動子を提供することを目的とする。
【特許文献１】実開昭61−70425号公報（第４図）
【特許文献２】特開2001−196886号公報（図１、２）
【課題を解決するための手段】
【００１０】
（着目点及び適用）本発明は水晶片の傾斜面が平坦であれば水晶片及び導電材に対する押圧条件を一定にする点に着目し、特許文献１で示される一主面側にのみ傾斜面を有する水晶片を適用した。
【００１１】
（解決手段）本発明の請求項１では、水晶片は一主面の端部に傾斜面を有するともに他主面を平坦面とし、引出電極の延出した平坦面である他主面の外周部を水晶端子上に固着した構成とする。
【００１２】
請求項２、３、４、５及び６では具体的な実施態様としての構成を開示する。すなわち、請求項２では導電材は導電性接着剤とし、請求項３では前記一対の引出電極の延出した外周部は前記水晶片の一端部両側とする。また、請求項４では前記傾斜面は前記水晶片の両端部とし、請求項５では前記傾斜面は前記水晶片の一端部とする（特許文献２）。さらに、請求項６では前記傾斜面は両端部で非対称とし、前記引出電極は傾斜面の大きい一端部に延出した構成とする。
【発明の効果】
【００１３】
これにより、水晶片及び導電材に加えられる押圧力や押圧方向等の条件を一定に制御できる。したがって、保持状態も均一になるので、品質を安定にする。また、水晶片の流出を防止して振動特性を良好に維持する。
【実施例】
【００１４】
第１図は本発明の一実施例を説明する図で、同図（ａ）は表面実装振動子の断面図、同図（ｂ）は水晶片の図である。なお、前従来例と同一部分には同番号を付与してその説明は簡略又は省略する。
【００１５】
水晶振動子は、前述したように一対の水晶端子４を有する実装基板１に水晶片２を収容して密閉封入してなる。この実施例では水晶片２は一主面の両端部に直線状の傾斜面を有し、他主面を平坦面とする。そして、励振電極６から引出電極７が延出した水晶片２の一端部両側を導電性接着剤８によって水晶端子４上に固着する。但し、水晶片２の平坦面である他主面側を固着する。
【００１６】
このような構成であれば、水晶端子４上に塗布された導電性接着剤８は、第２図に示したように水晶片２の平坦面から押圧力を受ける。したがって、位置決めにずれがあったとしても、導電性接着剤８にはほぼ同一方向で同一の押圧力が作用する。これにより、各水晶片２間での保持状態を均等にして保持系のバラツキを防止し、品質を安定にする。そして、導電性接着剤８の振動領域への流入を防止して振動特性を良好にする。
【００１７】
ちなみに、外形寸法を約1.5×1.1ｍｍとして振動周波数を20ＭHzとし、両主面に傾斜面を設けた従来例の水晶片２と、本実施例の水晶片２とを実装基板１上に固着して比較すると、同等のＣＩ値（30Ω）を得た。すなわち、両面又は片面であれ同等であることが確認された。但し、従来例のものは良品を選択して比較し、いずれも両端からの傾斜面の長さＬ及び端面の厚みＴは同一（0.4ｍｍ及び0.04ｍｍ）とした。
【００１８】
なお、この実施例では一端部両側の平坦面を保持（固着）するので、衝撃があった場合は他端部が実装基板１の表面に衝突する。これに対して、従来のように一端部両側の傾斜面を保持した場合は厚みの大きい振動領域（平坦部）の他端側が衝突する。したがって、この点についても有利となる。
【００１９】
（他の事項）上記実施例では水晶片２の両端部に傾斜面を設けたが、第３図に示したようにしてもよい。すなわち、特許文献２で示されるような一端部のみに傾斜面を設けた水晶片２の場合でも一主面側にのみ傾斜面を設けて、平坦面側を固着する場合でも同様の効果を奏する。    
【００２０】
この場合、第４図に示したように、水晶片２の他端部に一端部よりも小さな傾斜面を形成しエネルギー閉じ込め効果を高めてもよい。要するに、傾斜面は両端部で非対称とし、引出電極は傾斜面の大きい一端部に延出した構成とする。
【００２１】
また、水晶片２の一端部両側に引出電極７を延出したが、両端部に引出電極７を延出して両端部を固着する場合でも適用できる。そして、傾斜面は直線状としたが曲面状であってもよい。また、水晶片２の稜角部はバレル等でバリ取り程度に丸みを帯びていてもよい。
【００２２】
そして、導電材は導電性接着剤８としたが、例えば共晶合金やバンプを用いた場合でも同様に適用できる。また、実装基板１は凹状の容器本体としたが、平板状であってもよいことは勿論である。
【図面の簡単な説明】
【００２３】
【図１】本発明の一実施例を説明する図で、同図（ａ）は表面実装振動子の断面図、同図（ｂ）は水晶片の図である。
【図２】本発明の一実施例の作用を説明する表面実装振動子の一部拡大断面図である。
【図３】本発明の他の実施例を説明する水晶片の図である。
【図４】本発明の更に他の実施例を説明する水晶片の図である。
【図５】従来例を説明する表面実装振動子の図で、同図（ａ）は断面図、同図（ｂ）はカバーを除く平面図、同図（ｃ）は水晶片の平面図である。
【図６】従来例の問題点を説明する表面実装振動子の一部拡大断面図である。
【符号の説明】
【００２４】
１  実装基板、２  水晶片、３  カバー、４  水晶端子、５  外部端子、６  励振電極、７  引出電極、８  導電性接着剤。
【図１】
2004180274.tif 000003
【図２】
2004180274.tif 000004
【図３】
2004180274.tif 000005
【図４】
2004180274.tif 000006
【図５】
2004180274.tif 000007
【図６】
2004180274.tif 000008